(57)【要約】【課題】使用する金物の構造が簡易あり、接合される木製筋交の中心軸と引寄せボルトの中心軸とを同じ面上で交差させて安定した接合状態を得ることができる角部取付け構造を提供する。【解決手段】複数のビス締着孔１６が形成された柱接合面部１７及び筋交接合面部１８からなるＬ字断面形状部分１９を含む一対の接合金物２０が、筋交接合面部１８を平行に突出させて接合角部１３ａ，１３ｂに取り付けられており、木製筋交１４の端部が、一対の筋交接合面部１８の間に挟み込まれた状態で接合されており、且つ筋交接合面部１８の横架材１２ａ，１２ｂとは反対側の縁部に支持させて、ボルト締着金物２１が両側の筋交接合面部１８に跨って取り付けられており、横架材１２ａ，１２ｂを貫通して延設する柱引寄せボルト１５の端部を、ボルト締着金物２１のボルト締着孔２１ａに締着させる。【選択図】図２
2010053661.tif 000002
【特許請求の範囲】
【請求項１】
左右一対の柱材と上下一対の横架材とによる壁用枠体の内側に設置される木製筋交の端部を、柱材と横架材との接合角部に接合すると共に、柱引寄せボルトを締着させる木製筋交の角部取付け構造であって、
複数のビス締着孔が形成された柱接合面部及び筋交接合面部からなるＬ字断面形状部分を含む一対の接合金物が、前記柱接合面部を前記柱材に接合することにより、前記筋交接合面部を平行に突出させて前記接合角部に取り付けられており、
前記木製筋交の端部が、一対の前記筋交接合面部の間に挟み込まれた状態で両側の前記筋交接合面部に接合されて取り付けられており、
且つ前記木製筋交と前記柱材との間の部分において、前記筋交接合面部の前記横架材とは反対側の縁部に支持させて、ボルト締着金物が両側の前記筋交接合面部に跨って配設されており、
前記横架材を貫通して延設する前記柱引寄せボルトの端部を、前記ボルト締着金物のボルト締着孔に締着させる木製筋交の角部取付け構造。
【請求項２】
前記接合金物は、前記横架材側の端部に、前記柱接合面部及び前記筋交接合面部と垂直に折れ曲がって連設する当接面部を備えており、該当接面部を前記横架材に当接させた状態で、前記接合角部に取り付けられている請求項１に記載の木製筋交の角部取付け構造。
【請求項３】
前記木製筋交は、一対の単位筋交からなり、これの他端部が、前記端部が接合される接合角部を構成する前記柱材と対向する他方の柱材の中間部分に接合されて、前記他方の柱材と共にＫ字形状を形成する筋交である請求項１又は２に記載の木製筋交の角部取付け構造。
【請求項４】
請求項１〜３のいずれかに記載の木製筋交の角部取付け構造において用いる角部取付け金物であって、
複数のビス締着孔が形成された柱接合面部及び筋交接合面部からなるＬ字断面形状部分を含む一対の接合金物と、前記柱接合面部を前記柱材に接合すると共に前記筋交接合面部を平行に突出させて前記接合角部に取り付けられた前記一対の接合金物に対して、前記筋交接合面部の前記横架材とは反対側の縁部に支持させて、両側の前記筋交接合面部に跨って配設されるボルト締着金物と、前記横架材を貫通して延設して端部が前記ボルト締着金物のボルト締着孔に締着される柱引寄せボルトとからなる角部取付け金物。
【発明の詳細な説明】
【技術分野】
【０００１】
本発明は、木製筋交の角部取付け構造及び角部取付け金物に関し、特に一左右対の柱材と上下一対の横架材とによる壁用枠体の内側に設置される木製筋交を、柱材と横架材との接合角部に接合すると共に、柱引寄せボルトを締着させる木製筋交の角部取付け構造、及び該角部取付け構造において用いる角部取付け金物に関する。
【背景技術】
【０００２】
例えば木造住宅建築物等の建物の壁構造として、柱や縦枠等からなる一対の柱材と、梁や土台等からなる一対の横架材とによる壁用枠体の内側に木製筋交を取り付けることにより、壁耐力を向上させたものが知られている。また、これらの木製筋交は、一般に、その一端部又は両端部が、角部取付け金物を介して、柱材と横架材との接合角部に接合されるようになっている（例えば、特許文献１参照）。
【０００３】
さらに、柱材と横架材との接合角部には、柱引寄せボルトを締着して柱材を横架材側に引寄せるための引寄せ金物が取り付けられることが多いことから、この引寄せ金物に、木製筋交の端部を取り付けるための角部取付け金物としての機能を付加した金物も開発されている（例えば、特許文献２参照）。
【特許文献１】特開２０００−１０４３４２号公報
【特許文献２】特開２００２−３３９４５６号公報
【発明の開示】
【発明が解決しようとする課題】
【０００４】
特許文献２の引寄せ金物は、図５に示すように、背板部５０と筋かい固定部５１と引寄せボルトの貫通係合部５２とを有しており、背板部５０は両側部を一面側へ屈曲させた立ち上がり部５３ａ、５３ｂを備えており、筋かい固定部５１は一側の立ち上がり部５３ａの一部を拡大して形成されており、貫通係合部５２は背板部５０における基端部側の立ち上がり部５３ａ、５３ｂ間に断面Ｕ字形に設けられるものであるため、その構造が複雑になると共に、加工も容易ではない。さらに、特許文献２の引寄せ金物では、当該引寄せ金物に接合される筋交５４の中心軸と、引寄せボルト５５の中心軸とが、同じ面から外れて立体交差するように配置されるので、偏った荷重が負荷されて安定した接合状態を保持できなくなる場合がある。
【０００５】
本発明は、このような従来の課題に着目してなされたものであり、使用する金物の構造が簡易で加工も容易であると共に、接合される木製筋交の中心軸と、引寄せボルトの中心軸とを同じ面上で交差させるように配置して安定した接合状態を得ることのできる木製筋交の角部取付け構造、及び該角部取付け構造に用いる角部取付け金物を提供することを目的とする。
【課題を解決するための手段】
【０００６】
本発明は、左右一対の柱材と上下一対の横架材とによる壁用枠体の内側に設置される木製筋交の端部を、柱材と横架材との接合角部に接合すると共に、柱引寄せボルトを締着させる木製筋交の角部取付け構造であって、複数のビス締着孔が形成された柱接合面部及び筋交接合面部からなるＬ字断面形状部分を含む一対の接合金物が、前記柱接合面部を前記柱材に接合することにより、前記筋交接合面部を平行に突出させて前記接合角部に取り付けられており、前記木製筋交の端部が、一対の前記筋交接合面部の間に挟み込まれた状態で両側の前記筋交接合面部に接合されて取り付けられており、且つ前記木製筋交と前記柱材との間の部分において、前記筋交接合面部の前記横架材とは反対側の縁部に支持させて、ボルト締着金物が両側の前記筋交接合面部に跨って配設されており、
前記横架材を貫通して延設する前記柱引寄せボルトの端部を、前記ボルト締着金物のボルト締着孔に締着させる木製筋交の角部取付け構造を提供することにより、上記目的を達成したものである。
【０００７】
また、本発明の木製筋交の角部取付け構造によれば、前記接合金物は、前記横架材側の端部に、前記柱接合面部及び前記筋交接合面部と垂直に折れ曲がって連設する当接面部を備えており、該当接面部を前記横架材に当接させた状態で、前記接合角部に取り付けられていることが好ましい。
【０００８】
さらに、本発明の木製筋交の角部取付け構造によれば、前記木製筋交は、一対の単位筋交からなり、これの他端部が、前記端部が接合される接合角部を構成する前記柱材と対向する他方の柱材の中間部分に接合されて、前記他方の柱材と共にＫ字形状を形成する筋交であることが好ましい。
【０００９】
また、本発明は、上記木製筋交の角部取付け構造において用いる角部取付け金物であって、複数のビス締着孔が形成された柱接合面部及び筋交接合面部からなるＬ字断面形状部分を含む一対の接合金物と、前記柱接合面部を前記柱材に接合すると共に前記筋交接合面部を平行に突出させて前記接合角部に取り付けられた前記一対の接合金物に対して、前記筋交接合面部の前記横架材とは反対側の縁部に支持させて、両側の前記筋交接合面部に跨って配設されるボルト締着金物と、前記横架材を貫通して延設して端部が前記ボルト締着金物のボルト締着孔に締着される柱引寄せボルトとからなる角部取付け金物を提供することにより、上記目的を達成したものである。
【発明の効果】
【００１０】
本発明の木製筋交の角部取付け構造又は角部取付け金物によれば、使用する金物の構造が簡易で加工も容易であると共に、接合される木製筋交の中心軸と、引寄せボルトの中心軸とを同じ面上で交差させるように配置して安定した接合状態を得ることができる。
【発明を実施するための最良の形態】
【００１１】
図１及び図２に示す本発明の好ましい一実施形態に係る木製筋交の角部取付け構造１０は、例えば木造住宅建築物等の建物の仕切り壁における壁構造として、左右一対の柱材１１ａ，１１ｂと、上下一対の横架材１２ａ，１２ｂとによる壁用枠体の内側に木製筋交１４を取り付けることによって、例えば仕切り壁の壁耐力を向上させる際に採用されたものである。また、本実施形態では、木製筋交１４は、一対の単位筋交１４ａ，１４ｂからなるものであり、これらの端部を例えば一方の柱材１１ａと一方の横架材１２ａとの接合角部１３ａ、又は一方の柱材１１ａと他方の横架材１２ｂとの接合角部１３ｂに各々接合する際に、本実施形態の角部取付け構造１０が採用されることになる。さらに、本実施形態の角部取付け構造１０では、横架材１２ａ，１２ｂを貫通して延設配置される柱引寄せボルト１５もまた締着されるようになっており、締着された柱引寄せボルト１５の中心軸Ｘと接合された単位筋交１４ａ，１４ｂの中心軸Ｃとを、同じ面上（略同じ面上も含む。）で交差させるように容易に配置することができるようになっている。
【００１２】
そして、本実施形態の木製筋交の角部取付け構造１０は、左右一対の柱材１１ａ，１１ｂと上下一対の横架材１２ａ，１２ｂとによる壁用枠体の内側に設置される木製筋交１４の端部を、一方の柱材１１ａと横架材１２ａ，１２ｂとの接合角部１３ａ，１３ｂに接合すると共に、柱引寄せボルト１５を締着させる角部取付け構造であって、複数のビス締着孔１６（図３（ａ），（ｂ）参照）が形成された柱接合面部１７及び筋交接合面部１８からなるＬ字断面形状部分１９を含む一対の接合金物２０が、柱接合面部１７を一方の柱材１１ａに接合することにより、筋交接合面部１８を平行に突出させて接合角部１３ａ，１３ｂに取り付けられており、木製筋交１４（単位筋交１４ａ，１４ｂ）の端部が、一対の筋交接合面部１８の間に挟み込まれた状態で両側の筋交接合面部１８に接合されて取り付けられており、且つ木製筋交１４と一方の柱材１１ａとの間の部分において、筋交接合面部１８の横架材１２ａ，１２ｂとは反対側の縁部に支持させて、ボルト締着金物２１が両側の筋交接合面部１８に跨って配設されており、横架材１２ａ，１２ｂを貫通して延設する柱引寄せボルト１５の端部を、ボルト締着金物２１のボルト締着孔２１ａに締着させるようになっている。
【００１３】
また、本実施形態の角部取付け構造１０では、接合金物２０は、横架材１２ａ，１２ｂ側の端部に、柱接合面部１７及び筋交接合面部１８と垂直に折れ曲がって連設する当接面部２２を備えており、この当接面部２３を横架材１２ａ，１２ｂに当接させた状態で、接合角部１３ａ，１３ｂに取り付けられるようになっている。
【００１４】
さらに、本実施形態の角部取付け構造１０では、木製筋交１４は、上述のように一対の単位筋交１４ａ，１４ｂからなるものであり、これらの他端部が、前記端部が接合される接合角部１３ａ，１３ｂを構成する柱材１２ａと対向する他方の柱材１２ｂの中間部分に接合されて、他方の柱材１２ｂと共にＫ字形状を形成する筋交となっている。
【００１５】
なお、本実施形態では、壁用枠体を構成する上下一対の横架材１２ａ，１２ｂは、下方の横架材１２ａが土台となっており、上方の横架材１２ｂは間柱受けとなっている。また、図２及び図３（ａ）〜（ｃ）においては、一方の柱材１１ａと下方の横架材１２ａとの接合角部１３ａにおける、角部取付け構造１０や角部取付け金物について示している。
【００１６】
本実施形態では、図２（ａ）〜（ｃ）にも示すように、上述の角部取付け構造１０において用いる角部取付け金物は、複数のビス締着孔１６が形成された柱接合面部１７及び筋交接合面部１８からなるＬ字断面形状部分１９を含む一対の接合金物２０と、柱接合面部１８を一方の柱材１２ａに接合すると共に筋交接合面部１８を平行に突出させて接合角部１３ａに取り付けられた一対の接合金物２０に対して、筋交接合面部１８の横架材１２ａとは反対側の縁部に支持させて、両側の筋交接合面部１８に跨って配設されるボルト締着金物２１と、横架材１２ａ，１２ｂを貫通して延設して端部がボルト締着金物２１のボルト締着孔２１ａに締着される柱引寄せボルト１５とからなる。
【００１７】
ここで、角部取付け金物を構成する接合金物２０は、例えば厚さが３．２ｍｍ程度の金属プレートに切断加工、折曲げ加工、孔空け加工等を施すことによって容易に形成することができる。接合金物２０の柱接合面部１７は、例えば幅が３０ｍｍ程度、高さが１８０ｍｍ程度の大きさの縦長矩形形状に形成されると共に、筋交接合面部１８は、柱接合面部１７の一辺部から垂直に折れ曲るように連接して、例えば幅が１０５〜１３０ｍｍ程度、高さが１８０ｍｍ程度の大きさの、周縁の一部が円弧形状部分１８ａとして突出する概ね矩形形状に形成される。また、柱接合面部１７には、柱材１１ａに向けて固定ビスを打ち込むための複数のビス締着孔１６が形成されていると共に、筋交接合面部１８には、木製筋交１４（単位筋交１４ａ）に向けて固定ビスを打ち込むための複数のビス締着孔１６が形成されている。
【００１８】
なお、柱接合面部１７に設けられるビス締着孔１６には、打ち込まれた固定ビスの頭部を平坦に納めて、木製筋交１４の端部の納まりが良好になるように、エンボス加工が施されている。また、筋交接合面部１８のビス締着孔１６は、筋交接合面部１８の周縁に設けられた円弧形状部分１８ａの中心部に位置して１箇所設けられると共に、この中心部を中心とした円周に沿って、略等角度間隔で７箇所に設けられている。これによって、木製筋交１４の異なる取付け角度に対応させて、木製筋交１４の端部を、バランス良く筋交接合面部１８に接合することが可能になる。
【００１９】
さらに、柱接合面部１７及び筋交接合面部１８の横架材１２ａ側の端部に設けられた当接面部２３は、柱接合面部１７の端縁部及び筋交接合面部１８の端縁部に一体として接合されて、柱接合面部１７及び筋交接合面部１８と共に互いに垂直な３面を形成する。接合金物２０に当接面部２２が設けられていることにより、柱接合面部１７と筋交接合面部１８とによるＬ字断面形状部分１９を強固に補強することができると共に、当接面部２２を横架材１２ａに当接させることにより、接合金物２０からの荷重を、安定した状態で横架材１２ａに支持させることができるようになっている。
【００２０】
ボルト締着金物２１は、例えば厚さが６．０ｍｍ程度の金属プレートに切断加工、折曲げ加工、孔空け加工等を施すことによって容易に形成することができる。ボルト締着金物２１は、中央部分にボルト締着孔２１ａが開口形成された略矩形形状の平坦な締着部２１ｂと、締着部２１ｂの長辺部分から締着部２１ｂに対して垂直に折れ曲って設けられた一対の第１係止脚部２１ｃと、締着部２１ｂの短辺部分から締着部２１ｂに対して垂直に折れ曲って設けられた一対の第２係止脚部２１ｄとからなり、長辺部分と平行な面に沿った断面形状、及び短辺部分と平行な面に沿った断面形状が、いずれもコの字断面形状となるように形成されている。
【００２１】
ボルト締着金物２１は、一対の接合金物２０が、その柱接合面部１８を一方の柱材１２ａに各々接合固定して、その筋交接合面部１８を平行に突出させて接合角部１３ａに取り付けられた後に、一対の筋交接合面部１８の横架材１２ａとは反対側の縁部に、これらの間に一対の第１係止脚部２１ｃを差し込むと共に、一対の第２係止脚部２１ｄによってこれらを両側から挟み込むようにして幅止め係止した状態で、締着部２１ｂの裏面を当該縁部の上端面に載置することにより、一方の柱材１１ａと木製筋交１４（単位筋交１４ａ）が接合される部分との中間部において、両側の筋交接合面部１８に跨るようにして取り付けられることになる。
【００２２】
ボルト締着金物２１のボルト締着孔２１ａに端部が締着される柱引寄せボルト１５は、一端部がコンクリート基礎に埋設固定された状態で用いられるアンカーボルトや、上下階の間の床部や天井部を貫通した状態で用いられる両端に雄ネジ部を備える両ネジボルト等の、引寄せボルトとして公知の種々のボルト部材を用いることができる。柱引寄せボルト１５は、横架材１２ａを貫通して配設されると共に、端部をボルト締着孔２１ａに挿通し、座金２３やナット部材２４を用いてボルト締着金物２１のボルト締着孔２１ａに締着されることになる。この締着力によって、一方の柱材１２ａは、固定ビスを用いて当該一方の柱材１２ａに固定された一対の接合金物２０及びボルト締着金物２１を介して、横架材１２ａ，１２ｂ側に引き寄せられることになる。
【００２３】
なお、本実施形態では、接合金物２０の筋交接合面部１８に接合される木製筋交１４（単位筋交１４ａ，１４ｂ）の端部には、柱引寄せボルト１５が配置される部分を貫通して、ボルト挿通孔（図示せず。）が予め形成されており、このボルト挿通孔に柱引寄せボルト１５を挿通させることにより、柱引寄せボルト１５を、木製筋交１４（単位筋交１４ａ，１４ｂ）の端部と交差させて配置できるようになっている。
【００２４】
上述の角部取付け金物を用いて本実施形態の角部取付け構造１０を形成するには、図１及び図２に示すように、一方の柱材１１ａと横架材１２ａ，１２ｂとの接合角部１３ａ，１３ｂに取り付けられた一対の接合金物２０の、木製筋交１４の厚さに相当する間隔をおいて平行に配置された筋交接合面部１８の間に差し込むようにして、木製筋交１４（単位筋交１４ａ，１４ｂ）の端部を配設する。また、当該端部の両側に密着状態で配置された筋交接合面部１８のビス締着孔１６に、これらの外側から木製筋交１４の端部に向けて固定ビス２５を各々打ち込むことにより、当該端部を接合金物２０に固定する。
【００２５】
しかる後に、横架材１２ａ，１２ｂを貫通して延設する柱引寄せボルト１５の端部を、接合金物２０の当接面部２２に形成したボルト挿通孔（図示せず。）や、木製筋交１４（単位筋交１４ａ，１４ｂ）の端部に形成したボルト挿通孔（図示せず。）に挿通して、接合金物２０の筋交接合面部１８の縁部に取り付けたボルト締着金物２１の締着部２１ｂから突出させる。さらに、突出させた柱引寄せボルト１５の端部の雄ネジ部に、ナット部材２４を螺合して当該端部をボルト締着孔２１ａに締着することにより、締着された柱引寄せボルト１５の中心軸Ｘと、接合された木製筋交１４（単位筋交１４ａ，１４ｂ）の中心軸Ｃとを同じ面上で交差させた状態で、角部取付け構造１０が形成されることになる。
【００２６】
ここで、木製筋交１４を構成する単位筋交１４ａ，１４ｂは、例えば１０５ｍｍ×３８ｍｍの矩形断面形状を有する木製部材からなり、各々、その端部が、上述のように一方の柱材１２ａと上下一対の横架材１２ａ，１２ｂとの接合角部１３ａ，１３ｂに取り付けられると共に、その他端部が、一方の柱材１２ａと対向する他方の柱材１２ｂの中間部分に、中間部接合金物２６を介して接合されていて、他方の柱材１２ｂと一対の単位筋交１４ａ，１４ｂとによってＫ字形状を形成するようになっている。
【００２７】
また、本実施形態では、中間部接合金物２６は、図４（ａ），（ｂ）に示すように、例えば厚さが３．２ｍｍ程度の金属プレートに切断加工、折曲げ加工、孔空け加工等を施すことによって形成されており、複数のビス締着孔２７が設けられた柱接合面部２８と筋交接合面部２９とからなるＬ字断面形状を有している。中間部接合金物２６は、他方の柱材１２ｂの中間部分において、ビス締着孔２７に固定ビスを打ち込んで、柱接合面部２８を他方の柱材１１ｂに接合することにより、筋交接合面部２９を内側の突出させた状態で取り付けられる。また中間部接合金物２６の筋交接合面部２９には、単位筋交１４ａ，１４ｂの他端部が、ビス締着孔２７から当該他端部に向けて固定ビスを打ち込むことによって固定されることになる。
【００２８】
木製筋交１４が、一対の単位筋交１４ａ，１４ｂによって構成されていて、他方の柱材１２ｂと共にＫ字形状を形成する筋交となっていることにより、いわゆるけさ掛け状に取り付けられる筋交と比較して、壁耐力をさらに向上させることが可能になる。
【００２９】
なお、本実施形態では、図１及び図２に示すように、壁用枠体の下部の接合角部１３ａにおいては、下方の横架材１２ａとしての土台の上に、床下地合板３０が敷設されており、接合金物２０は、その当接面部２２を床下地合板３０を介在させて横架材１２ａに当接させた状態で、接合角部１３ａに取り付けられるようになっている。また、本実施形態では、左右一対の柱材１１ａ，１１ｂと上下一対の横架材１２ａ，１２ｂとによる壁用枠体の内側には、これの中央部分に、間柱３１が設けられている。
【００３０】
そして、上述の構成を有する本実施形態の角部取付け構造１０及び角部取付け金物によれば、金物の構造が簡易で加工も容易であると共に、接合される木製筋交１４（単位筋交１４ａ，１４ｂ）の中心軸Ｃと、引寄せボルト１５の中心軸Ｘとを同じ面上で交差させるように配置して安定した接合状態を得ることができる。
【００３１】
すなわち、本実施形態によれば、角部取付け金物を構成する接合金物２０、ボルト締着金物２１、及び柱引寄せボルト１５は、金属プレートに切断加工、折曲げ加工、孔空け加工等を施したり、公知の柱引寄せボルトを用いて簡易に形成することができると共に、木製筋交１４の端部は、一対の接合金物２０の筋交接合面部１８の間に挟み込まれた状態でこれらに接合されており、柱引寄せボルト１５の端部は、両側の筋交接合面部１８に跨って配設されたボルト締着金物２１のボルト締着孔２１ａに締着されるようになっているので、木製筋交１４の中心軸Ｃと、柱引寄せボルト１５の中心軸Ｘとを同じ面上で交差させるようにすることが可能になり、これによって安定した木製筋交１４及び柱引寄せボルト１５の接合状態を得ることが可能になる。
【００３２】
なお、本発明は上記実施形態に限定されることなく種々の変更が可能である。例えば、木製筋交は一対の単位筋交からなるものである必要は必ずしも無く、けさ掛け状やたすき掛け状に取り付けられた木製筋交であっても良い。また、接合金物に当接面部が設けられている必要は必ずしも無く、接合金物やボルト締着金物として、その他の種々の形状のものを採用することができる。
【図面の簡単な説明】
【００３３】
【図１】本発明の好ましい一実施形態に係る木製筋交の角部取付け構造を示す正面図である。
【図２】図１のＡ部拡大斜視図である。
【図３】本発明の好ましい一実施形態に係る木製筋交の角部取付け構造において用いる角部取付け金物の構成を説明する、（ａ）は正面図、（ｂ）右側面図、（ｃ）は上面図である。
【図４】本発明の好ましい一実施形態に係る木製筋交の角部取付け構造において用いる中間部接合金物の構成を説明する、（ａ）は正面図、（ｂ）左側面図である。
【図５】従来の木製筋交の角部取付け構造の構成を説明する斜視図である。
【符号の説明】
【００３４】
１０  木製筋交の角部取付け構造
１１ａ，１１ｂ  柱材
１２ａ，１２ｂ  横架材
１３ａ，１３ｂ  接合角部
１４  木製筋交
１４ａ，１４ｂ  単位筋交
１５  柱引寄せボルト
１６  ビス締着孔
１７  柱接合面部
１８  筋交接合面部
１９  Ｌ字断面形状部分
２０  接合金物
２１  ボルト締着金物
２１ａ  ボルト締着孔
２２  当接面部
２６  中間部接合金物
Ｃ    木製筋交の中心軸
Ｘ    柱引寄せボルトの中心軸
【図１】
2010053661.tif 000003
【図２】
2010053661.tif 000004
【図３】
2010053661.tif 000005
【図４】
2010053661.tif 000006
【図５】
2010053661.tif 000007